(57)【要約】【課題】電線管の端部に曲げ加工を施さずに接続することが可能になり、しかも強度上の不都合も解消し、接続作業が容易なプルボックス支持装置を提供する。【解決手段】プルボックスＰに固定される固定金具２を設ける。支持ブロック１０上に略水平に支持された支持金具１の端部を貫通する連結ボルト３を設ける。該連結ボルト３の下端部に固定金具２を連結し、支持金具１に対する連結ボルト３の位置調整でプルボックスＰの高さを調整するように設ける。支持金具１の下面と支持ブロック１０の上端部との間に生じる間隙を埋めて支持金具１を略水平に支持する支持用突起１Ａを支持金具１の下面に設ける。【選択図】  図１
2007014153.tif 000002
【特許請求の範囲】
【請求項１】
電線管を支持する支持ブロック上に固定した支持金具でプルボックスを高さ調整自在に支持するプルボックス支持装置において、プルボックスに固定される固定金具と、支持ブロック上に略水平に支持された支持金具の端部を貫通する連結ボルトとを設け、該連結ボルトの下端部に固定金具を連結し、支持金具に対する連結ボルトの位置調整でプルボックスの高さを調整するように設けたことを特徴とするプルボックス支持装置。
【請求項２】
前記支持ブロックの上端部に前記支持金具を連結する断面略Ｃ形チャンネル状の支持溝金具が装着され、該支持溝金具に固定された略短冊形状の支持金具の下面と支持ブロックの上端部との間に生じる間隙を埋めて支持金具を略水平に支持する支持用突起を支持金具の下面に設けた請求項１記載のプルボックス支持装置。
【請求項３】
前記支持用突起は、前記支持金具の片面又は両面に施されるエンボス加工により形成された請求項２記載のプルボックス支持装置。
【発明の詳細な説明】
【技術分野】
【０００１】
本発明は、例えば建築物の屋上に設置した電線管にプルボックスを接続する際に使用するプルボックス支持装置に係り、プルボックスの電線管取り付け位置を電線管の配置位置に合わせて調整することができるプルボックス支持装置に関する。
【背景技術】
【０００２】
屋上に電線管を設置する工事では、屋上に土台として配置したブロック上に電線管を固定する工事が行われている。この工事において、電線管が長くなる場合の中継地点や、電線管内のケーブルが分岐する場合の分岐地点には、電線管の端部にプルボックスを接続してケーブルの分岐や電線管の延長を行っている。この際、電線管にプルボックスを接続するには、プルボックスの電線管接続位置に電線管端部の位置を合わせる必要があるが、この位置がずれている場合には、電線管端部に曲げ加工を施すなどの作業が必要になっていた。
【０００３】
また、電線管端部に曲げ加工を施さずにプルボックスを接続する手段として、電線管を載置するブロックと、プルボックスを載置するブロックとの高さを変える施工方法がある。このように、ブロックの高さを調整して電線管端部とプルボックスの電線管接続位置とを合わせることで、直線状の電線管をプルボックスに接続することができる。
【０００４】
更に、直線状の電線管をプルボックスに接続する手段として、図５に示される側面略Ｚ字状を成した支持金具２００を使用することがある。図示の支持金具２００は、ブロックを用いずにプルボックスＰの支持高さを自由に調整できるように設けているので、電線管Ｑの端部に曲げ加工を施す必要がなく、直線状の電線管Ｑを接続することができるものである。
【０００５】
一方、直線状の電線管をプルボックスに接続する手段として、特許文献１に記載された装置や施工方法なども提案されている。この特許文献１には、プルボックスの側面下部に電線管の端部を挿通せしめる切り欠きを設け、電線管端部の上方からプルボックスを被せることで、切り欠き部分に電線管を通すようにした電路接続装置及びその施工方法が記載されている。この装置や方法により、電線管とプルボックスの切り欠き位置とに多少の誤差があっても、プルボックスを所定の施工場所に設置することができるというものである。
【特許文献１】特開２００３−１１１２３８号公報
【発明の開示】
【発明が解決しようとする課題】
【０００６】
電線管端部に曲げ加工を施さずに済む手段の中で、高さの異なるブロックを使用する手段では、プルボックスの高さがブロックの高さによって決定されるので、プルボックスの高さの微調整ができない不都合がある。そのため、プルボックスの電線管接続位置と電線管端部との位置に僅かでも誤差が生じてしまうと、電線管の接続作業が極めて困難になるおそれがあった。しかも、電線管を支持するブロックとは別に、プルボックスを支持するブロックを用意する必要があるので、ブロックの数が増加する不都合もある。
【０００７】
また、図５に示す支持金具２００を使用する手段では、プルボックスＰの高さを調整するために支持金具２００の構造が複雑になっていた。特に、プルボックスＰに連結する連結ボルト３００に、プルボックスＰの全荷重による圧縮力が加わる構造を成しているので、この連結ボルト３００に対する強度上の問題を抱えていた。更に、側面略Ｚ字形状を成した支持金具２００は、ブロック１００の上端部に固定されると共に、プルボックスＰの下端部に連結されるので、この支持金具２００がブロック１００上の固定点から長い片持ちばりとなり、長期間の使用で支持金具２００に変形が生じるおそれもある。
【０００８】
一方、特許文献1に記載された手段にて接続した場合は、電線管を接続した後の切り欠き部分に隙間が生じるので、この隙間を何らかの手段で隠蔽するといった別の作業が必要になる。また、この手段は、高さの異なるブロックを併用する手段でもあるので、プルボックスを支持するために使用するブロック数が増加する不都合もある。
【０００９】
そこで、本発明は上述の課題を解消すべく創出されたもので、電線管の端部に曲げ加工を施さずに接続することが可能になり、しかも強度上の不都合も解消し、接続作業が容易なプルボックス支持装置の提供を目的とするものである。
【課題を解決するための手段】
【００１０】
上述の目的を達成すべく本発明における第１の手段は、電線管Ｑを支持する支持ブロック１０上に固定した支持金具１でプルボックスＰを高さ調整自在に支持するプルボックス支持装置において、プルボックスＰに固定される固定金具２と、支持ブロック１０上に略水平に支持された支持金具１の端部を貫通する連結ボルト３とを設け、該連結ボルト３の下端部に固定金具２を連結し、支持金具１に対する連結ボルト３の位置調整でプルボックスＰの高さを調整するように設けたことにある。
【００１１】
第２の手段は、前記支持ブロック１０の上端部に前記支持金具１を連結する断面略Ｃ形チャンネル状の支持溝金具１１が装着され、該支持溝金具１１に固定された略短冊形状の支持金具１の下面と支持ブロック１０の上端部との間に生じる間隙を埋めて支持金具１を略水平に支持する支持用突起１Ａを支持金具１の下面に設けている。
【００１２】
第３の手段における前記支持用突起１Ａ及び誤組付防止印１Ｂは、前記支持金具１の片面又は両面に施されるエンボス加工により形成されていることを課題解消のための手段とする。
【発明の効果】
【００１３】
本発明の請求項１により、支持金具１に対する連結ボルト３の位置調整で、プルボックスＰの高さを調整するように設けたことで、電線管Ｑの端部に曲げ加工を施さずにプルボックスＰを接続することが可能になる。また、連結ボルト３の下端部にプルボックスＰを固定しているので、連結ボルト３に加わる荷重は支持金具１からの引張力となり、従来のこの種の連結ボルトを使用した支持手段の強度上の問題点は解消された。さらに、支持ブロック１０上に略水平に支持された支持金具１と、プルボックスＰに固定した固定金具２とを、支持金具１の端部を貫通する連結ボルト３で連結する簡単な構成なので、プルボックスＰの接続作業が容易になる。
【００１４】
請求項２により、略短冊形状の支持金具１を略水平に支持する支持用突起１Ａを支持金具１の下面に設けているので、支持金具１がブロック上の固定点から短い片持ちばりとなることにより支持金具１の強度及び剛性を高めることができる。
【００１５】
更に、請求項３により、支持用突起１Ａを支持金具１の片面又は両面にエンボス加工にて形成することで、支持金具１の製造工程を簡略化し、支持金具１の強度、剛性を容易に高めることができる。
【００１６】
このように、本発明によると、電線管の端部に曲げ加工を施さずに接続することが可能になり、しかも強度上の不都合も解消し、接続作業が容易になるなどといった種々の効果を奏するものである。
【発明を実施するための最良の形態】
【００１７】
本発明支持装置の最良の形態は、プルボックスＰに固定される固定金具２を設ける。支持ブロック１０の上端部に前記支持金具１を連結する断面略Ｃ形チャンネル状の支持溝金具１１を装着する。該支持溝金具１１に固定された略短冊形状の支持金具１の下面と支持ブロック１０の上端部との間に生じる間隙を埋めて支持金具１を略水平に支持する支持用突起１Ａを支持金具１の下面に設ける。支持ブロック１０上の支持溝金具１１に略水平に支持された支持金具１の端部を貫通する連結ボルト３を設ける。該連結ボルト３の下端部に固定金具２を連結し、支持金具１に対する連結ボルト３の位置調整でプルボックスＰの高さを調整するように設けることで当初の目的を達成するものである。
【実施例】
【００１８】
以下、本発明の一実施例を説明する。本発明支持装置の主な構成は、支持金具１、固定金具２、連結ボルト３、支持ブロック１０からなる（図１参照）。
【００１９】
支持金具１は、支持ブロック１０上に水平に固定する金具である（図２参照）。図示の支持金具１は、略短冊状を成し、長手両端部に一対のネジ孔１Ｃを開穿し、その一端部を支持ブロック１０に固定し、他端部に連結ボルト３を固定する（図１参照）。
【００２０】
支持金具１を固定する支持ブロック１０は、コンクリート材やプラスチック材等で形成され、電線管Ｑ等を載置する土台として用いられる。本発明で使用するブロック１０の上端部には、断面略Ｃ形チャンネル状の支持溝金具１１が設けられている。この支持溝金具１１は、電線管Ｑを固定する固定金具Ｒを接続するものであるが、この固定金具１２を利用して支持金具１固定用の固定金具１２も接続する（図１参照）。図示の固定金具１２は、支持溝金具１１内部に挿入した後、９０度回転させることで、支持溝金具１１内に係止する係止片１２Ａと、該係止片１２Ａから支持金具１のネジ孔１Ｃを貫通する固定ネジ１２Ｂと、この固定ネジ１２Ｂにねじ止めする固定ナット１２Ｃとで構成されている。
【００２１】
支持ブロック１０の支持溝金具１１に略水平に固定された支持金具１の下面に支持用突起１Ａを設けている。この支持用突起１Ａは、支持金具１の下面と支持ブロック１０の上端部との間に生じる間隙を埋めて支持金具１を略水平に支持するものである（図１参照）。すなわち、上端部に支持溝金具１１を設けた支持ブロック１０は、支持溝金具１１の強度を高めるために支持ブロック１０内に支持溝金具１１を埋め込んでいる。また、この支持溝金具１１の上端部は、他の部材の接続作業を容易にするため、支持ブロック１０の上端部から僅かに突出するように設けられている。支持用突起１Ａは、この支持溝金具１１の僅かに突出した部分で形成される空間を埋めるように設けている。この支持用突起１Ａは、支持金具１の片面又は両面に、一個又は複数個設けることができる
【００２２】
図示例では、支持金具１の下面幅員中央のみならず、支持金具１の上面で、支持用突起１Ａの両側の位置にも支持用突起１Ｂを設けている（図３、図４参照）。このように、支持用突起１Ａ，１Ｂを支持金具１の両面に設けることで、使用時に支持金具１のいずれの面が下面になってもそのまま使用することができるので作業性が良い。また、これらの支持用突起１Ａ，１Ｂをエンボス加工で形成することで、支持金具１の強度や剛性を更に高める作用を奏するものとなる。
【００２３】
固定金具２は、プルボックスＰに固定される金具で、図示の固定金具２は、プルボックスＰの下面に計４個の固定金具２を装着している。この固定金具２にはネジ孔２Ａが開穿されており、このネジ孔２Ａに挿通する連結ボルト３にて支持金具１のネジ孔１Ｃに高さ調整自在に連結される。
【００２４】
連結ボルト３は、支持金具１のネジ孔１Ｃと、固定金具２のネジ孔２Ａとに挿通してプルボックスＰを支持金具１に固定するものである。図示の連結ボルト３は、固定金具２のネジ孔２Ａに下方から挿入した連結ボルト３を、支持金具１のネジ孔１Ｃに挿通している。更に、支持金具１の上下面に配した一対の調整ナット４で連結ボルト３を支持金具１に固定し、連結ボルト３の固定位置を調整することで、プルボックスＰの高さを調整できるように設けている。同図中、符号５は、固定金具２と連結ボルト３の頭部とを固定する補助ナットを示す。尚、図示のナットは全てフランジ付ナットを使用している。
【００２５】
本発明支持装置を使用するには、例えば、プルボックスＰの支持金具１に連結ボルト３を下から挿通し、この連結ボルト３に所定の高さで支持金具１を固定する。次に、支持金具１に予め装着している固定金具１２を用いて支持ブロック１０の支持溝金具１１に支持金具１を固定することで、プルボックスＰを所定高さに支持することができるものである。また、工事現場の環境等により、作業の順序を任意に変更することも可能である。
【００２６】
尚、本発明は、図示例に限定されるものではなく、各構成の寸法や形状等の設計変更、および材質の変更など任意に行えるものである。たとえば、支持金具１の形状や固定金具２の取り付け位置、連結ボルト３や固定金具１２の種類などは、本発明の要旨を変更しない範囲において自由に変更できるものである。
【図面の簡単な説明】
【００２７】
【図１】本発明の一実施例を示す使用側面図である。
【図２】本発明の支持金具を示す平面図である。
【図３】本発明の支持金具を示す側面図である。
【図４】本発明の支持用突起及び誤組付防止印を示す要部拡大断面図である。
【図５】従来の支持金具の使用状態を示す側面図である。
【符号の説明】
【００２８】
Ｐ  プルボックス
Ｑ  電線管  
Ｒ  固定金具  
１  支持金具        １Ａ  支持用突起
１Ｂ  支持用突起
１Ｃ  ネジ孔
２  固定金具        ２Ａ  ネジ孔
３  連結ボルト
４  調整ナット
５  補助ナット
１０  支持ブロック
１１  支持溝金具
１２  固定金具        １２Ａ  係止片
１２Ｂ  固定ネジ
１２Ｃ  固定ナット
１００  ブロック
２００  支持金具
３００  連結ボルト
【図１】
2007014153.tif 000003
【図２】
2007014153.tif 000004
【図３】
2007014153.tif 000005
【図４】
2007014153.tif 000006
【図５】
2007014153.tif 000007